(57)【要約】【課題】有線または無線による災害情報提供装置と津波の予想到達時刻までへの時間経過表示、並びに避難場所の方向表示を行うメディアポールを街中に複数本、システム的に立設して津波の発生に対する住民の避難誘導指示を街や市町村ぐるみで行える避難誘導システムを提供する。【解決手段】メディアポールに津波の予想到達時刻までへの時間経過表示となるカウント・ダウン信号装置と音声による避難誘導スピーカー、並びに避難場所の方向を示す表示装置が設けられている災害情報提供装置及び津波避難指示装置を提供する。【選択図】図１
2013041516.tif 000002
【特許請求の範囲】
【請求項１】
円柱または角柱からなるメディアポールに津波の予想到達時刻までへの時間経過表示となるカウント・ダウン信号装置と音声による避難誘導スピーカー、並びに避難場所の方向を示す表示装置が設けられていることを特徴とする災害情報提供装置及び津波避難指示装置。
【請求項２】
前記、カウント・ダウン信号装置と非難誘導スピーカー、並びに避難場所の方向を示す表示装置が設置されたメディアポールの高さは、過去の津波の高さにて水没しない高さを有する円柱または角柱のメディアポールとなし、該メディアポールに過去の津波の高さを記録として表示し、またその上層部に避難誘導スピーカー用の蓄電池を収納持設していることを特徴とする請求項１に記載された災害情報提供装置及び津波避難指示装置。
【請求項３】
前記メディアポールに設けられる津波の予想到達時刻までへの時間経過表示となるカウント・ダウン信号装置は、照明手段として発光ダイオードを用いた点滅点灯型の照明器具を用いて行い、該該カウント・ダウン信号装置は光の点滅と点灯を赤色や青色の組み合わせにより行って時間の経過を動的に表示することを特徴とする請求項１または請求項２に記載された災害情報提供装置及び津波避難指示装置。
【請求項４】
津波の予想到達時刻までへの時間経過表示となるカウント・ダウン信号装置と音声による避難誘導スピーカー、並びに避難場所の方向を示す表示装置を具備したメディアポールを数十本製作して市町村の再開発整備事業に伴う市町村の道路計画に沿って夫々の緊急避難場所に向かって設置していくこと、並びにカウント・ダウン信号装置及び音声による避難誘導スピーカーの管理、維持組織を確定することを特徴とする災害情報提供装置及び津波避難指示装置からなる避難誘導システム。
【発明の詳細な説明】
【技術分野】
【０００１】
本発明は災害情報提供装置及び津波避難指示装置からなる避難誘導システムに関するものである。
【０００２】
本発明は災害情報提供装置と津波避難指示装置からなる避難誘導システムに関するものであり、詳説すれば、有線または無線による災害情報提供装置と津波の予想到達時刻までへの時間経過表示、並びに避難場所の方向表示を行うメディアポールを街中に複数本、システム的に立設して津波の発生に対する避難誘導指示を街や市町村ぐるみで行うシステムを得るものである。
【背景技術】
【０００３】
屋外に設置されているサイン塔、照明塔、電柱、街灯、各種警報機塔に所謂、防災情報伝達機能や災害備蓄品収納機能を持たせたものは種々発明されている。例えば、特開平９−１６２８２３号公報（以下、特許文献１と称する）には、平常時には地域住民の生活の連絡手段や地域活動の中で活用でき、災害時には、地域住民や通行中の市民に対しての情報提供や、市民の側からの行政当局や消防警察等に対しての情報を有効に伝達できる多目的塔柱が開示されている。
【０００４】
そして、特許文献１の塔柱には、公衆電話機、テレビ受信機、投光照明器、太陽蓄電池（太陽光発電機を含む）、スピーカー、簡易無線アンテナ、衛星アンテナ、テレビカメラ等の設備機材が設置されている。
【０００５】
また、特開２００９−３７８７７号公報（以下、特許文献２と称する）には、災害備蓄品を収納可能とするとともに、照明部からの照明光によって夜間であっても災害備品を容易に取り出すことができる屋外照明設備支柱が開示されている。
【０００６】
上記、特許文献２の照明支柱には、蓄電装置や太陽電池パネルを備えており、照明支柱の下部倉庫に設けられた非常食、調理器具、テント、災害用トイレ等の災害備蓄品の活用を夜間でも不自由なく行えると云うものである。
【０００７】
然しながら、特許文献１、並びに特許文献２の発明では、塔柱や支柱の建っている周辺の地域のみでの防災活動拠点、或いは災害情報提供手段としては有効なものの、街全体、市全域での災害情報提供装置や津波避難指示システムとは成りえない。
【０００８】
一方、災害発生時に災害の情報伝達や防災活動用の照明装置として用いられる塔柱や支柱は、高さが高く、且つ規模の大きなタワー形状のものになる傾向がある。
【０００９】
これは、風力発電装置や太陽光発電装置等自然エネルギーを蓄えて蓄電して放送用や通信用、そして照明用にと使用するものであり、特開平１０−３３９０５６号（以下、特許文献３と称する）にて開示された発明では、通常はモニュメントでありながら防災用、防犯用の機能をも兼ね備えた防災用多機能型タワーに関するものや、特開２００６−２１５９０６号公報（以下、特許文献４と称する）にて開示された発明のように被災害時情報提供システムとして基地局を中心に複数の被災害時情報タワーを設け、該夫々の被災害時情報タワーが風力発電装置及び太陽光発電装置を保有して文字表示、拡声器、照明による情報提供を行えるシステム等の発明がある。
【００１０】
斯くして、上述した特許文献１乃至特許文献４の発明は、塔柱や支柱、並びにタワーの建っている周辺の地域のみでの防災活動拠点、或いは災害情報提供手段としては有効なものの、街全体、市全域での災害情報提供装置や津波避難指示システムとは成りえない。
【００１１】
また、塔柱、支柱、タワー等に設置される風力発電装置、太陽光発電装置、公衆電話機、テレビ受信機、投光照明器、照明器具、スピーカー、簡易無線アンテナ、衛星アンテナ、テレビカメラ等の設備機材は、何れも短期間周期のメンテナンスを必要とする機材であり、その運用方法やメンテナンスをしっかりと行えば平常時や防災発生時に非常に役に立つ設備となりうるが、前記防災設備機材の重装備化は市町村の財政負担にも長期にわたって少なからず影響を及ぼすことになる。
【先行技術文献】
【特許文献】
【００１２】
【特許文献１】特開平９−１６２８２３号
【特許文献２】特開２００９−３７８７７号
【特許文献３】特開平１０−３３９０５６号
【特許文献４】特開２００６−２１５９０６号
【発明の概要】
【発明が解決しようとする課題】
【００１３】
本発明が解決しようとする課題は、災害情報提供装置と津波避難指示装置からなる避難誘導システムを提供するものであり、本発明は、有線または無線による災害情報提供装置と津波の予想到達時刻までへの時間経過表示、並びに避難場所の方向表示を行うメディアポールを街中に複数本、システム的に立設して津波の発生に対する住民の避難誘導指示を街や市町村ぐるみで行える避難誘導システムを提供するものある。
【課題を解決するための手段】
【００１４】
本発明は、円柱または角柱からなるメディアポールに津波の予想到達時刻までへの時間経過表示となるカウント・ダウン信号装置と音声による避難誘導スピーカー、並びに避難場所の方向を示す表示装置が設けられているというシンプルでメンテナンスのしやすい災害情報提供装置及び津波避難指示装置を提供するものである。
【００１５】
また、本発明において、前記、カウント・ダウン信号装置と非難誘導スピーカー、並びに避難場所の方向を示す表示装置が設置されたメディアポールの高さは、過去の津波の高さにて水没しない高さを有する円柱または角柱のメディアポールとなし、該メディアポールに過去の津波の高さを記録として表示し、またその上層部に避難誘導スピーカー用の蓄電池を収納持設している構成の災害情報提供装置及び津波避難指示装置を提供するもので、常日頃から過去の津波の教訓を忘れることなく安全な生活ができる市町村を具現化できるものである。
【００１６】
更に、本発明においては、前記メディアポールに設けられる津波の予想到達時刻までへの時間経過表示となるカウント・ダウン信号装置は、照明手段として発光ダイオードを用いた点滅点灯型の照明器具を用いて行い、該該カウント・ダウン信号装置は光の点滅と点灯を赤色や青色の組み合わせにより行って時間の経過を動的に表示する構成で、発光ダイオードを用いたカウント・ダウン信号の照明信号装置は長期間の耐用性や高い照度を提供することができ、広範囲の場所からも認識できる災害情報提供装置及び津波避難指示装置を提供可能にした。
【００１７】
そして、本発明は、津波の予想到達時刻までへの時間経過表示となるカウント・ダウン信号装置と音声による避難誘導スピーカー、並びに避難場所の方向を示す表示装置を具備したメディアポールを数十本製作して市町村の再開発整備事業に伴う市町村の道路計画に沿って夫々の緊急避難場所に向かって設置していくこと、並びにカウント・ダウン信号装置及び音声による避難誘導スピーカーの管理、維持組織を確定することをシステムとして確立することにより、市町村ぐるみの災害情報提供装置及び津波避難指示装置からなる避難誘導システムが設置可能となる。
【発明の効果】
【００１８】
斯くして、本発明は、従来の被防災情報伝達装置が塔柱、支柱、タワー等に風力発電装置、太陽光発電装置、公衆電話機、テレビ受信機、投光照明器、照明器具、スピーカー、簡易無線アンテナ、衛星アンテナ、テレビカメラ等の設備機材を設置して重装備であり、タワー等に設置された設備機材は、何れも短期間周期のメンテナンスを必要とする機材でその運用方法やメンテナンスをしっかりと行えば平常時や防災発生時に非常に役に立つ設備となりうるが、前記防災設備機材の重装備化は市町村の財政負担にも長期にわたって少なからず影響を及ぼすことになる点を解消し、シンプルでメンテナンスのしやすい災害情報提供装置及び津波避難指示装置を提供することができる。
【００１９】
また、本発明は、本発明は、有線または無線による災害情報提供装置と津波の予想到達時刻までへの時間経過表示、並びに避難場所の方向表示を行うメディアポールを街中に複数本、システム的に立設しなくてはならないが、津波の発生に対する住民の避難誘導指示を街や市町村ぐるみで行える避難誘導システムを設置した市町村に提供することができる。
【００２０】
そして、本発明は、津波の予想到達時刻までへの時間経過表示となるカウント・ダウン信号装置と音声による避難誘導スピーカー、並びに避難場所の方向を示す表示装置を具備したメディアポールを数十本製作して市町村の再開発整備事業に伴う市町村の道路計画に沿って夫々の緊急避難場所に向かって設置していくことにより、歩行による避難者はもとより、車による家族同伴の避難者にとっても常に避難場所の方向と津波到達時間が確認できる市町村ぐるみの災害情報提供装置及び津波避難指示装置からなる避難誘導システムとなる。
【図面の簡単な説明】
【００２１】
【図１】本発明の実施例１を示す外観説明図である。
【図２】本発明におけるカウント・ダウン信号装置の動作説明図である。
【図３】本発明の実施例２を説明する概要図である。
【発明を実施するための形態】
【００２２】
本発明は災害情報提供装置と津波避難指示装置からなる避難誘導システムに関するものであり、詳説すれば、有線または無線による災害情報提供装置と津波の予想到達時刻までへの時間経過表示、並びに避難場所の方向表示を行うメディアポールを街中に複数本、システム的に立設して津波の発生に対する避難誘導指示を街や市町村ぐるみで行うシステムを得るものである。
【００２３】
従来から屋外に設置されているサイン塔、照明塔、電柱、街灯、各種警報機塔に所謂、防災情報伝達機能や災害備蓄品収納機能を持たせたものは種々発明されており、平常時には地域住民の生活の連絡手段や地域活動の中で活用でき、災害時には、地域住民や通行中の市民に対しての情報提供や、市民の側からの行政当局や消防警察等に対しての情報を有効に伝達できる多目的塔柱塔が開示されている。
【００２４】
また、従来から風力発電装置や太陽光発電装置等自然エネルギーを蓄えて蓄電して放送用や通信用、そして照明用にと使用する発明では、通常はモニュメントでありながら防災用、防犯用の機能をも兼ね備えた防災用多機能型タワーに関するものや、被災害時情報提供システムとして基地局を中心に複数の被災害時情報タワーを設け、該夫々の被災害時情報タワーが風力発電装置及び太陽光発電装置を保有して文字表示、拡声器、照明による情報提供を行えるシステム等の発明がある。
【００２５】
然しながら、上述した従来例では、塔柱や支柱、並びにタワーの建っている周辺の地域のみでの防災活動拠点、或いは災害情報提供手段としては有効なものの、街全体、市全域での災害情報提供装置や津波避難指示システムとは成りえない。
【００２６】
また、塔柱、支柱、タワー等に設置される風力発電装置、太陽光発電装置、公衆電話機、テレビ受信機、投光照明器、照明器具、スピーカー、簡易無線アンテナ、衛星アンテナ、テレビカメラ等の設備機材は、何れも短期間周期のメンテナンスを必要とする機材であり、その運用方法やメンテナンスをしっかりと行えば平常時や防災発生時に非常に役に立つ設備となりうるが、前記防災設備機材の重装備化は市町村の財政負担にも長期にわたって少なからず影響を及ぼすことになる。
【００２７】
更に、平成２３年８月１７日水曜日の読売新聞朝刊によると「東日本大震災を受け内閣府などが、岩手、宮城、福島の３県の被災者８７０人を対象に行った津波避難に関する面接調査で、約４割にあたる３６１人が家族をさがしたり、自宅に戻ったりして、すぐに避難していなかったことがわかった。」と、報じられており、資料によるとすぐに避難しなかった３６１人はその理由について、２２％が「自宅に戻ったから」、２１％が「家族を捜しに行ったり、迎えに行ったりしたから」、１１％が「過去の地震でも津波が来なかったから」と回答しているという。
【００２８】
そして、最終的に避難した人は８５７人で、その６割弱に当たる４８５人が車で避難していることもわかった。消防庁では原則、徒歩での避難を指導しているが、実際に車で避難した人のうちの３４％が渋滞に巻き込まれて、車で避難した動機については、「車で避難しないと間に合わないと思った」が３４％、「家族で避難しようと思った」３２％などだった、と報道されている。
【００２９】
斯くして、上述の記事は、如何に津波の予想到達時刻までへの時間経過表示となるカウント・ダウン信号装置が重要であり、また、街や市町村全体を如何に避難し易い街に再生して徒歩や車での避難誘導が円滑に行えるかを問うものであり。本発明は、その期待に充分そえる災害情報提供装置及び津波避難指示装置からなる避難誘導システムを提供するものである。
【００３０】
本発明が解決しようとする課題は、災害情報提供装置と津波避難指示装置からなる避難誘導システムを提供するものであり、本発明は、有線または無線による災害情報提供装置と津波の予想到達時刻までへの時間経過表示、並びに避難場所の方向表示を行うメディアポールを街中に複数本、システム的に立設して津波の発生に対する住民の避難誘導指示を街や市町村ぐるみで行える避難誘導システムを提供するものある。
【００３１】
本発明は、円柱または角柱からなるメディアポールに津波の予想到達時刻までへの時間経過表示となるカウント・ダウン信号装置と音声による避難誘導スピーカー、並びに避難場所の方向を示す表示装置が設けられているというシンプルでメンテナンスのしやすい災害情報提供装置及び津波避難指示装置を提供することが好ましい。尚、地域やその他の環境によっては、上述した避難誘導スピーカー、並びに、避難場所の方向を示す表示装置が不要となる場合もある。
【００３２】
また、本発明において、前記、カウント・ダウン信号装置と非難誘導スピーカー、並びに避難場所の方向を示す表示装置が設置されたメディアポールの高さは、過去の津波の高さにて水没しない高さを有する円柱または角柱のメディアポールとなし、該メディアポールに過去の津波の高さを記録として表示し、またその上層部に避難誘導スピーカー用の蓄電池を収納持設している構成の災害情報提供装置及び津波避難指示装置を提供するもので、常日頃から過去の津波の教訓を忘れることなく安全な生活ができる市町村を具現化できるものであることが好ましい。
【００３３】
更に、本発明においては、前記メディアポールに設けられる津波の予想到達時刻までへの時間経過表示となるカウント・ダウン信号装置は、照明手段として発光ダイオードを用いた点滅点灯型の照明器具を用いて行い、該該カウント・ダウン信号装置は光の点滅と点灯を赤色や青色の組み合わせにより行って時間の経過を動的に表示する構成で、発光ダイオードを用いたカウント・ダウン信号の照明信号装置は長期間の耐用性や高い照度を提供することができ、広範囲の場所からも認識できる災害情報提供装置及び津波避難指示装置であることが好ましい。
【００３４】
そして、本発明は、津波の予想到達時刻までへの時間経過表示となるカウント・ダウン信号装置と音声による避難誘導スピーカー、並びに避難場所の方向を示す表示装置を具備したメディアポールを数十本製作して市町村の再開発整備事業に伴う市町村の道路計画に沿って夫々の緊急避難場所に向かって設置していくこと、並びにカウント・ダウン信号装置及び音声による避難誘導スピーカーの管理、維持組織を確定することをシステムとして確立することにより、市町村ぐるみの災害情報提供装置、及び津波避難指示装置からなる避難誘導システムが設置可能となる。
【００３５】
而して、本発明に使用される有線、無線による避難誘導スピーカー装置や津波の予想到達時刻までへの時間経過表示となる発光ダイオード−を用いたカウント・ダウン信号装置、並びにそれらの電源装置となる蓄電池は全て従来からの完成された技術による設備同士の組み合わせであり、それぞれの設備製造メーカーを選択することにより、ハイレベルのシステムが設置できる。
【実施例１】
【００３６】
図１及び図２は実施例１を説明するものであり、図１は実施例１の外観図を示し、図２（ａ）、（ｂ）、（ｃ）、（ｄ）、（ｅ）、（ｆ）は津波の予想到達時刻までへの時間経過表示となるカウント・ダウン信号装置の動作説明図を示している。
【００３７】
図１及び図２において１は円柱からなるメディアポール本体でアルミやステンレス、そして鋼管やコンクリート製の円柱からなり、地中に埋設された基礎台（図示せず）に植設されて立設している。メディアポール本体１は地面より約１６ｍの高さを持つており、その先端部には、夜間発光ダイオードにて光る照明設備を備えた避難場所への方向指示装置２を備えており、順に予備電源用バッテリー３、避難誘導スピーカー４、津波の予想到達時刻までへの時間経過表示となるカウント・ダウン信号装置５、以前の震災により到達した津波の高さメモリアル表示装置６、停電時用の照明器具７、そして、その基礎部分にはカウント・ダウン信号装置５や音声による避難誘導スピーカー装置４、並びに停電時用の照明器具７の電源用バッテリー装置８が内蔵されている。
【００３８】
而して、前記夜間照明器具を備えた避難場所への方向指示装置２は、避難場所の地名表示や道路に沿った矢印表示により構成され、避難道路の策定や計画に沿って夫々方向を定めていくことが重要であり、車による避難場所への避難がやむを得ず増えていることを鑑みるとシステムとして車用の避難表示装置も付加することが必要となる。
【００３９】
また、本発明における津波の予想到達時刻までへの時間経過表示となるカウント・ダウン信号装置５は、図２の（ａ）、（ｂ）、（ｃ）、（ｄ）、（ｅ）、（ｆ）に表示するように、例えば、図２（ａ）の如く津波避難情報の発令と同時にグリーンのランプＧと赤のランプＲの点滅が始まり、図（ｂ）の如く赤のランプの点滅は点灯に変わり、点滅はグリーンのランプＧのみとなる。そして、図２（ｄ）、（ｄ）に示す如く赤のランプＲは経過タイムを示し、グリーンのランプＧの点滅は残りタイムを示している。
【００４０】
そして、実施例１におけるカウント・ダウン信号装置５には、通常、グリーンのランプＧと赤のランプＲによる光と色による２０分間のカウント・ダウンが組み込まれているが、このタイムが来ると図２（ｅ）の如く最後に全てにランプが赤のランプＲとなり、カウント・ダウンは終了する。カウント・ダウン終了後は図２（ｆ）の様に全体が赤のランプＲになり点灯状態が維持される。
【００４１】
本発明の実施例１では、津波の予想到達時刻までへの時間経過表示となるカウント・ダウン信号装置５にグリーンのランプＧと赤のランプＲによる光と色による２０分間のカウント・ダウンが組み込まれているが、これは、今回の東日本大震災の経験において策定されたもので、例えば北米や南米の太平洋沿岸で起きた地震による津波等に関しては、他の対応策を策定する必要がある。
【実施例２】
【００４２】
図３は、本発明の実施例２を説明する概略図であり、図３において、９は海、１０は市街地、１１ａ、１１ｂ、１１ｃは夫々避難場所への方向指示装置２、カウント・ダウン信号装置５、及び避難誘導スピーカー４を備える災害情報提供装置及び津波避難指示装置からなるメディアポール、１２は高台に設けられた緊急指定避難場所で、該避難場所１２には、非常灯１３やレーザー光線１４等で夜間でも確認できる位置表示装置が具備されている。
【００４３】
そして、実施例２は、津波の予想到達時刻までへの時間経過表示となるカウント・ダウン信号装置５と音声による避難誘導スピーカー４、並びに避難場所の方向を示す方向表示装置２を具備したメディアポール１１ａ、１１ｂ、１１ｃ・・・を数十本製作して市町村の再開発整備事業に伴う市町村の道路計画に沿って、夫々の緊急避難場所に向かって設置していくこと、並びにカウント・ダウン信号装置５及び音声による避難誘導スピーカー４の管理、維持組織を確定することを要旨とする災害情報提供装置及び津波避難指示装置からなる避難誘導システムを提供するものである。
【００４４】
斯くして、本発明は、円柱または角柱からなるメディアポール本体１に津波の予想到達時刻までへの時間経過表示となるカウント・ダウン信号装置５と音声による避難誘導スピーカー４、並びに避難場所の方向を示す方向表示装置２が設けられている災害情報提供装置及び津波避難指示装置を提供するものである。
【００４５】
そして、前記、カウント・ダウン信号装置５と非難誘導スピーカー４、並びに避難場所の方向を示す方向表示装置２が設置されたメディアポールの高さは、過去の津波の高さにて水没しない高さを有する円柱または角柱のメディアポール本体１となし、該メディアポールに過去の津波の高さを記録として表示してメモリアル表示装置６となし、またその上層部に避難誘導スピーカー用の蓄電池３を収納持設している災害情報提供装置及び津波避難指示装置を提供するものである。
【００４６】
また、本発明における前記、メディアポール本体１に設けられる津波の予想到達時刻までへの時間経過表示となるカウント・ダウン信号装置５は、照明手段として発光ダイオードを用いた点滅点灯型の照明器具を用いて行い、該該カウント・ダウン信号装置５は光の点滅と点灯を赤色や青色の組み合わせにより行って時間の経過を動的に表示する災害情報提供装置及び津波避難指示装置である。
【００４７】
斯くして、本発明は、津波の予想到達時刻までへの時間経過表示となるカウント・ダウン信号装置５と音声による避難誘導スピーカー４、並びに避難場所の方向を示す方向表示装置２を具備したメディアポール１１ａ、１１ｂ、１１ｃ・・・を数十本製作して市町村の再開発整備事業に伴う市町村の道路計画に沿って、夫々の緊急避難場所１２に向かって設置することを要旨とする災害情報提供装置及び津波避難指示装置からなる避難誘導システムを提供するものである。
【００４８】
而して、本発明は、従来の被防災情報伝達装置が塔柱、支柱、タワー等に風力発電装置、太陽光発電装置、公衆電話機、テレビ受信機、投光照明器、照明器具、スピーカー、簡易無線アンテナ、衛星アンテナ、テレビカメラ等の設備機材を設置して重装備であり、タワー等に設置された設備機材は、何れも短期間周期のメンテナンスを必要とする機材でその運用方法やメンテナンスをしっかりと行えば平常時や防災発生時に非常に役に立つ設備となりうるが、前記防災設備機材の重装備化は市町村の財政負担にも長期にわたって少なからず影響を及ぼすことになる点を解消し、シンプルでメンテナンスのしやすい災害情報提供装置及び津波避難指示装置を提供することができる。
【００４９】
また、本発明は、本発明は、有線または無線による災害情報提供装置と津波の予想到達時刻までへの時間経過表示、並びに避難場所の方向表示を行うメディアポールを街中に複数本、システム的に立設しなくてはならないが、津波の発生に対する住民の避難誘導指示を街や市町村ぐるみで行える避難誘導システムを設置した市町村に提供することができる。
【００５０】
そして、本発明は、津波の予想到達時刻までへの時間経過表示となるカウント・ダウン信号装置と音声による避難誘導スピーカー、並びに避難場所の方向を示す表示装置を具備したメディアポールを数十本製作して市町村の再開発整備事業に伴う市町村の道路計画に沿って夫々の緊急避難場所に向かって設置していくことにより、歩行による避難者はもとより、車による家族同伴の避難者にとっても常に避難場所の方向と津波到達時間が確認できる市町村ぐるみの災害情報提供装置及び津波避難指示装置からなる避難誘導システムとなる。
【符号の説明】
【００５１】
１  メディアポール本体
２  避難場所への方向指示装置
３  予備電源バッテリー
４  避難指示スピーカー
５  カウント・ダウン信号装置
６  津波高さメモリアル表示装置
７  停電時用の照明器具
８  電源用バッテリー装置
９  海
１０  市街地
１１ａ、１１ｂ、１１ｃ・・・  メディアポール
１２  避難場所
１３  非常灯
１４  レーザー光線
【図１】
2013041516.tif 000003
【図２】
2013041516.tif 000004
【図３】
2013041516.tif 000005